(57)【特許請求の範囲】
【請求項１】
車体側に設けられたブラケットの取付片が挿し込まれて取り付けられるブラケット取付凹所を備えた車載部品において、
前記ブラケット取付凹所が、挿入される前記取付片の板厚方向で対向する一対の対向側面と、該一対の対向側面を相互に連結する底面を含んで構成されており、
前記ブラケット取付凹所の前記一対の対向側面が前記取付片の挿込方向で次第に対向面間距離が小さくなるようにされていると共に、
前記ブラケット取付凹所の前記底面が前記取付片の挿込方向の奥方に行くに従ってその対向面間距離が次第に小さくなる一対の先細状傾斜面を含んで構成されており、
前記取付片の挿込方向に対する前記一対の先細状傾斜面の傾斜角度が前記一対の対向側面の傾斜角度よりも大きくされている
ことを特徴とする車載部品。
【請求項２】
前記ブラケット取付凹所に対して前記ブラケットの取付片が取り付けられた状態で、前記取付片の挿込先端部が前記先細状傾斜面に圧接されるようになっている請求項１に記載の車載部品。
【発明の詳細な説明】
【技術分野】
【０００１】
本発明は、車体側に設けられたブラケットに装着されて支持される車載部品に関する。
【背景技術】
【０００２】
従来から、自動車には、電気接続箱やコネクタホルダなどの各種の車載部品が搭載されており、各車載部品が様々な取付構造によって、車体側に取り付けられて支持されている。例えば、特開２００６−１５８０９９号公報（特許文献１）に記載のとおり、車体側に設けられたブラケットの取付片が車載部品に設けられたブラケット取付凹所に挿入されて取付支持される構造のものが広く用いられている。
【０００３】
ところで、車載部品のブラケット取付凹所に挿し込まれたブラケットの取付片は、取付凹所および取付片の一方に設けられた係合突起が、それらの他方に設けられた係合穴に係合されることにより位置固定される。そして、係合突起と係合穴の係合により、取付片のブラケット取付凹所からの抜け出しが阻止されるようになっている。また、取付片の挿込側先端面がブラケット取付凹所の底面に当接することで、取付片の挿込端が規定されるようになっている。
【０００４】
ところが、このような取付構造では、係合突起と係合穴の間にはそれらの寸法公差等を考慮した隙間が存在することから、この隙間の範囲内でブラケット取付片がブラケット取付凹所内で変位する。それ故、車両運転時の入力振動等により、取付片がブラケット取付凹所の内面に繰り返し当接してガタツキ音を発生させていた。特に、取付片の先端面が当接するブラケット取付凹所の底面は、撓み変形する係合突起等よりも剛性が高く、且つ面と面との当接になることから、とりわけ当接時に発生する衝撃音が大きく問題となっていた。
【０００５】
なお、特許文献１に記載されているように、ブラケット取付凹所と取付片の間に他部材を挿し込んで隙間をなくすことも提案されているが、別部材を必要とすることから、部品点数や組付工程の増加、さらにはコストの増大も招き、好ましくなかった。
【先行技術文献】
【特許文献】
【０００６】
【特許文献１】特開２００６−１５８０９９号公報
【発明の概要】
【発明が解決しようとする課題】
【０００７】
本発明は、上述の事情を背景に為されたものであって、その解決課題は、別部材を必要とすることなく、ブラケット取付片の先端面とブラケット取付凹所の底面との当接音を抑制することができる、新規な構造の電気接続箱を提供することにある。
【課題を解決するための手段】
【０００８】
本発明の第一の態様は、車体側に設けられたブラケットの取付片が挿し込まれて取り付けられるブラケット取付凹所を備えた車載部品において、前記ブラケット取付凹所が、挿入される前記取付片の板厚方向で対向する一対の対向側面と、該一対の対向側面を相互に連結する底面を含んで構成されており、前記ブラケット取付凹所の前記一対の対向側面が前記取付片の挿込方向で次第に対向面間距離が小さくなるようにされていると共に、前記ブラケット取付凹所の前記底面が前記取付片の挿込方向の奥方に行くに従ってその対向面間距離が次第に小さくなる一対の先細状傾斜面を含んで構成されており、前記取付片の挿込方向に対する前記一対の先細状傾斜面の傾斜角度が前記一対の対向側面の傾斜角度よりも大きくされていることを、特徴とする。
【０００９】
本発明によれば、ブラケットの取付片の先端面がブラケット取付凹所内で挿込方向に移動してブラケット取付凹所の底面に当接しても、先細状傾斜面でブラケット取付片の先端面の周縁部が食い込むように支持される。これにより、先細状傾斜面に対してブラケット取付片を線で当接させることが出来て、面と面の当接の場合に比べて相互の接触面積を小さくすることが出来る。更に、ブラケット取付片の先細状傾斜面への当接のエネルギーが、ブラケット取付片の先端面の先細状傾斜面への接触に際する先細状傾斜面の弾性変形や、先端面の周縁部と先細状傾斜面との摩擦により吸収される。これにより、部品点数の増加を招くことなく、ブラケット取付片の先端面とブラケット収容凹所の底面との当接音を低減することが出来る。
【００１０】
本発明の第二の態様は、前記第一の態様に記載のものにおいて、前記ブラケット取付凹所に対して前記ブラケットの取付片が取り付けられた状態で、前記取付片の挿込先端部が前記先細状傾斜面に圧接されるようになっているものである。
【００１１】
本態様によれば、ブラケットの取付片の先端部が先細状傾斜面に圧入される。これにより、ブラケット取付凹所内での取付片の動き自体を規制することが出来て、防音効果をより確実に達成することが出来る。また、取付片のガタツキが抑えられることから、車載部品をブラケットに対してより安定的に固定することも出来る。
【発明の効果】
【００１２】
本発明によれば、ブラケット取付片が挿し込まれて取り付けられるブラケット収容凹所の底面を、ブラケット取付片の挿込方向の奥方に行くに従って狭幅となる先細状傾斜面とした。これにより、ブラケット取付片の先端面とブラケット収容凹所の底面との相互の接触面積を小さくすると共に、先端面の周縁部の先細状傾斜面への食い込みによる先細状傾斜面の弾性変形や相互の摩擦により、ブラケット取付片の先細状傾斜面への当接のエネルギーを吸収することが出来る。その結果、部品点数の増加を招くことなく、収容凹所の底面の形状を工夫することで、ブラケット取付片の先端面とブラケット収容凹所の底面との当接音を低減することが出来、所望の防音効果を簡易且つ安価に達成することが出来る。
【図面の簡単な説明】
【００１３】
【図１】本発明の一実施形態としての車載部品と、これが取り付けられるブラケットの取付片を示す斜視図。
【図２】図１に示した車載部品の要部の斜視図。
【図３】図１に示した車載部品の要部の正面図。
【図４】図１に示した車載部品の要部の、図２とは異なる方向からの斜視図。
【図５】図３におけるＶ−Ｖ断面に相当する断面説明図。
【発明を実施するための形態】
【００１４】
以下、本発明の実施形態について、図面を参照しつつ説明する。
【００１５】
先ず、図１に、本発明の一実施形態としての車載部品に係る電気接続箱１０と、該電気接続箱１０が取り付けられる自動車の車体側に設けられたブラケットの取付片１２を示す。電気接続箱１０はジャンクションボックスであり、合成樹脂製のアッパケース１４とロアケース１６が重ね合わせ状態で相互に組み付けられた構造とされている。そして、アッパケース１４とロアケース１６に設けられたコネクタ装着部１８や図示しないヒューズ装着部、リレー装着部等に図示しないコネクタやヒューズ、リレー等の電気部品が装着されて、内部の電気回路と接続可能とされている。
【００１６】
ロアケース１６には、ブラケット取付部２０（以下、適宜に取付部２０）が設けられている。図２〜図５に示すように、ブラケット取付部２０は、ロアケース１６の外周壁２２から台形状に突出された突出周壁２４の上底にあたる上壁２６と、上壁２６の両端部から外周壁２２に向けて突出された一対の側壁２８ａ，２８ｂと、上壁２６と外周壁２２の間で、上壁２６と対向して形成された下壁３０とで画成された略矩形の空所とされており、開口部３２を通じてロアケース１６の底面３４側に開口されている。
【００１７】
ブラケット取付部２０の中央には、ランス３６が設けられている。図５に示すように、ランス３６は板ばねとされており、一方の端部が連結部３８とされて、上壁２６の幅方向（図３中、左右方向）中央部分において開口部３２側の端縁部に連結されている。そして、ランス３６は、連結部３８から取付部２０の内方に延び出されて、連結部３８と反対側の端部が、自由端とされた操作部４０とされている。なお、ランス３６上におけるの連結部３８側の端部は、ランス３６の延出方向（図５中、左右方向）に所定寸法に亘って延びる補強リブ４１で上壁２６と連結されている。また、図４等に示すように、取付部２０は開口部３２と反対側にも開口されており、操作部４０は、開口部３２と反対側の後方開口部４２を通じて取付部２０の外部に臨まされて、後方開口部４２から操作可能とされている。
【００１８】
ランス３６には、下壁３０に向けて突出する係合突起４４が一体形成されている。係合突起４４は、ランス３６の平面視（下壁３０側から見た場合）において、連結部３８側が先細となるホームベース形状とされている。また、係合突起４４は、連結部３８側が、連結部３８側から操作部４０側に行くに連れて下壁３０への突出寸法が次第に大きくなる傾斜案内面４６とされていると共に、操作部４０側の端部が、下壁３０に向けて垂直に突出する平坦な係合面４８とされている。
【００１９】
そして、取付部２０において、ランス３６を挟む両側には、挿込壁部５０，５０が形成されている。挿込壁部５０は、上壁２６と下壁３０に跨って形成されている。挿込壁部５０の上下方向（図３中、上下方向）の中央部分には、挿込壁部５０の左右寸法（図３中、左右方向寸法）の全長に亘ると共に、開口部３２側の端縁部から後方開口部４２に向けて延びるスリット状のブラケット取付凹所５２が形成されている。これにより、挿込壁部５０は側面視（図５参照）において略コの字形状を有しており、開口部３２側の端部が上下に分割されている。更に、挿込壁部５０の左右方向（図３中、左右方向）の中央部分には、挿込壁部５０の上下寸法（図３中、上下方向）の全長に亘ると共に、開口部３２側の端縁部から後方開口部４２に向けて延びる中央スリット５４が形成されている。これにより、挿込壁部５０は、開口部３２側の端部において、左右にも分割されている。その結果、挿込壁部５０は、開口部３２側の端部において、一対の内側壁部５６ａ，５６ｂと、一対の外側壁部５８ａ，５８ｂの４つに分割されており、内側壁部５６ａ，５６ｂが取付部２０の内側に位置して上下方向で対向されている一方、外側壁部５８ａ，５８ｂが取付部２０の外側に位置して上下方向で対向されている。そして、これら内側壁部５６ａ，５６ｂと外側壁部５８ａ，５８ｂが後方開口部４２側で相互に連結されている。
【００２０】
上壁２６側に位置する内側壁部５６ａと外側壁部５８ａは互いに略同様の形状とされている。一方、下壁３０側に位置する内側壁部５６ｂと外側壁部５８ｂも互いに略同様の形状とされている。そして、外側壁部５８ａ，５８ｂの相互の対向面間には、互いに接近する方向に突出して開口部３２側から後方開口部４２側に向けて延びる押さえリブ６０，６０がそれぞれ形成されている。また、内側壁部５６ａ，５６ｂおよび外側壁部５８ａ，５８ｂのそれぞれにおける開口部３２側の端縁部はテーパ形状とされており、取付部２０の内方に行くに連れて、上壁２６又は下壁３０からの突出寸法が次第に大きくなるようにされている。なお、下壁３０は、上壁２６よりも開口部３２側に突出されており、下壁３０における開口部３２側の端縁部まで延び出された内側壁部５６ｂと外側壁部５８ｂは、上壁２６における開口部３２側の端縁部まで延び出された内側壁部５６ａと外側壁部５８ａよりも開口部３２側に突出されている。また、下壁３０において、ランス３６を挟む両側に位置する内側壁部５６ｂ，５６ｂは、下壁３０における後方開口部４２側の端縁部から突設された連結リブ６２で相互に連結されて補強されている。
【００２１】
図５に示すように、挿込壁部５０に形成されたブラケット取付凹所５２は、開口部３２から後方開口部４２に向けて延びると共に、開口部３２側に開放されたスリット形状とされている。挿込壁部５０は、開口部３２側において内側壁部５６ａ，５６ｂと外側壁部５８ａ，５８ｂに分割されていることから、ブラケット取付凹所５２の対向側面は、内側壁部５６ａ，５６ｂの対向面６４ａ，６４ｂ、および外側壁部５８ａ，５８ｂの対向面６６ａ，６６ｂ（図３参照）で構成されている。内側壁部５６ａ，５６ｂと外側壁部５８ａ，５８ｂは略同様の形状であることから、以下、特に区別する必要の無い場合には、内側壁部５６ａ，５６ｂの対向面６４ａ，６４ｂをブラケット取付凹所５２の対向側面として説明する。
【００２２】
すなわち、ブラケット取付凹所５２の対向側面間の距離は、内側壁部５６ａ，５６ｂの対向面６４ａ，６４ｂの対向面間距離：ｄ１で規定される。対向面間距離：ｄ１は、内側壁部５６ａ，５６ｂの全長に亘って取付片１２の厚さ寸法：ｔよりも大きくされており、開口部３２側に行くに連れて僅かに拡開されている。また、外側壁部５８ａ，５８ｂの対向面６６ａ，６６ｂには押さえリブ６０，６０が形成されており、これら押さえリブ６０，６０に取付片１２が圧接可能なように、押さえリブ６０，６０の対向距離は少なくとも最小寸法が取付片１２の厚さ寸法：ｔよりも小さくされている。
【００２３】
そして、内側壁部５６ａ，５６ｂの対向面６４ａ，６４ｂは、後方開口部４２側におけるブラケット取付凹所５２の底面６８で相互に連結されている。底面６８は、後方開口部４２に向けて幅寸法（図５中、上下方向寸法）が次第に小さくなる先細状傾斜面を有しており、対向面６４ａ，６４ｂから連続して、後方開口部４２側に行くに連れて相互に接近する傾斜当接面７０，７０と、傾斜当接面７０，７０を後方開口部４２側の端部で相互に連結する終端底面７２を含んでいる。なお、傾斜当接面７０，７０は、ブラケット取付凹所５２の延出方向（図５中、左右方向）に対して互いに略等しい傾斜角度をもって互いに接近されている。また、終端底面７２は、ブラケット取付凹所５２の延出方向（図５中、左右方向）に対して直交する平坦面とされている。そして、底面６８は、開口部３２側で最大幅寸法：ｄ２を有すると共に、終端底面７２において最小幅寸法：ｄ３を有しており、最大幅寸法：ｄ２が取付片１２の厚さ寸法：ｔよりも大きくされている一方、最小幅寸法：ｄ３が取付片１２の厚さ寸法：ｔよりも小さくされている。
【００２４】
このようなブラケット取付凹所５２が、ランス３６の両側の挿込壁部５０，５０にそれぞれ形成されている。なお、ランス３６は、ブラケット取付部２０における上下方向（図５中、上下方向）で、ブラケット取付凹所５２の対向側面の一方を構成する対向面６４ａと略同位置とされており、係合突起４４のみがブラケット取付凹所５２に重なるように位置されている。
【００２５】
そして、ブラケット取付凹所５２，５２に、取付片１２が挿し込まれる。図５（ａ）に示すように、取付片１２は金属板から形成されている。取付片１２には、ランス３６の係合突起４４よりも大きな三角形状を有する係合穴７４が貫設されている。また、取付片１２においてブラケット取付凹所５２への挿込方向先端部となる先端面７６は平坦面とされている。このような取付片１２が、開口部３２から挿込壁部５０，５０のブラケット取付凹所５２，５２に挿し込まれる。取付片１２は、内側壁部５６ａ，５６ｂの対向面６４ａ，６４ｂに対して隙間を隔てて挿し込まれると共に、外側壁部５８ａ，５８ｂの押さえリブ６０，６０間に圧入される。図５（ｂ）に示すように、取付片１２のブラケット取付凹所５２への挿入端は、取付片１２における先端面７６の上下（図５中、上下）両側の周縁部７８，７８が傾斜当接面７０，７０に当接されることにより規定される。そして、ランス３６の係合突起４４が取付片１２の係合穴７４に入り込んで、係合突起４４の係合面４８と係合穴７４の内周面が相互に係合されることにより、取付片１２のブラケット取付凹所５２からの抜けが阻止される。なお、本実施形態においては、ブラケット取付凹所５２に対して取付片１２が取り付けられ、取付片１２がランス３６と係合されてブラケット取付凹所５２への挿入端に位置された状態で、取付片１２の先端面７６が周縁部７８，７８において傾斜当接面７０，７０に圧接されるようになっている。このようにして、電気接続箱１０が、ブラケット取付部２０において取付片１２に取り付けられる。
【００２６】
このような構造とされた電気接続箱１０によれば、ブラケット取付凹所５２の底面６８が、傾斜当接面７０，７０を有する先細状傾斜面とされている。これにより、車両走行時の振動等により、取付片１２がブラケット取付凹所５２内で振動した場合には、取付片１２の先端面７６が、傾斜当接面７０，７０に対して周縁部７８，７８で線状に接触する。これにより、取付片１２の底面６８に対する接触面積が小さくされている。また、先端面７６の周縁部７８，７８が傾斜当接面７０，７０に食い込むように当接することによる傾斜当接面７０，７０の弾性変形や、傾斜当接面７０，７０と周縁部７８，７８との摩擦により、取付片１２の底面６８への当接のエネルギーを吸収することが出来る。その結果、特別な部材を追加することなく、取付片１２の底面６８への当接に際する打ち当たり音を簡易な構成で安価に低減することが出来る。また、取付片１２の抜け方向（図５中、左方から右方）での係合突起４４と取付片１２との当接音は、ランス３６の変形によって吸収することが可能とされており、取付片１２の底面６８との当接音に比較して小さくすることが出来る。
【００２７】
さらに、ブラケット取付凹所５２への挿入端位置において、取付片１２の先端面７６が、傾斜当接面７０，７０への圧接状態とされる。これにより、取付片１２のブラケット取付凹所５２内での動き自体を規制することが出来て、防音効果をより向上することが出来る。更に、取付片１２のガタツキが抑えられることから、電気接続箱１０の取付片１２への取付状態をより安定的に維持することも出来る。
【００２８】
加えて、外側壁部５８ａ，５８ｂの押さえリブ６０，６０間に取付片１２が圧入される。これにより、取付片１２のガタツキをより軽減することが出来て、より優れた防音効果と、取付状態の安定化を図ることが出来る。また、押さえリブ６０，６０が、内側壁部５６ａ，５６ｂと外側壁部５８ａ，５８ｂにおいて外側壁部５８ａ，５８ｂのみに形成されていることにより、取付片１２のガタツキ防止効果と取付片１２のブラケット取付凹所５２内への挿込容易性が高度に両立されている。
【００２９】
以上、本発明の実施形態について詳述したが、本発明はその具体的な記載によって限定されない。例えば、ブラケット取付凹所の形成態様は前記実施形態の如き態様に限定されるものではない。即ち、前記実施形態においては、取付部２０の空間内に挿込壁部５０，５０を設けて、それら挿込壁部５０，５０にスリット状のブラケット取付凹所５２，５２を形成したが、このような挿込壁部５０，５０は必ずしも必要ではなく、例えば取付片１２を挿し込む空所を画成する両側面にブラケット取付凹所をスリット状に形成する等しても良い。
【００３０】
また、取付片は、必ずしもブラケット取付凹所の挿入端位置でブラケット取付凹所の底面に圧接されている必要は無く、挿入端位置で底面に対して隙間を隔てて位置されていても良い。更に、前記実施形態における押さえリブ６０は必ずしも必要ではない。
【００３１】
更にまた、本発明は、自動車等の車両に搭載されて、車体側に設けられたブラケットに取り付けられる車載部品に広く適用可能であり、例えばヒューズボックスやリレーボックス等の電気接続箱や、コネクタを保持してブラケットに取り付けるコネクタホルダ等、各種の車載部品に適用可能である。
【符号の説明】
【００３２】
１０：電気接続箱（車載部品）、１２：取付片、１６：ロアケース、２０：ブラケット取付部、３６：ランス、４４：係合突起、５０：挿込壁部、５２：ブラケット取付凹所、５６ａ，ｂ：内側壁部、５８ａ，ｂ：外側壁部、６０：押さえリブ、６４ａ，ｂ：対向面（内側壁部）、６６ａ，ｂ：対向面（外側壁部）、６８：底面、７０：傾斜当接面、７２：終端底面、７４：係合穴、７６：先端面、７８：周縁部
【図１】
0005574278.tif 000002
【図２】
0005574278.tif 000003
【図３】
0005574278.tif 000004
【図４】
0005574278.tif 000005
【図５】
0005574278.tif 000006